(57)【要約】      （修正有）【課題】骨接合プレートを曲げても貫通孔がつぶれることを抑制し、また、骨接合プレートと骨接合術用スクリューとの接合をより強固にすることを課題とする。【解決手段】骨接合プレートとして、細長い板状体から形成されるプレート本体と、前記プレート本体に形成される、所定の骨接合術用スクリューを通し、少なくとも一部にこの骨接合術用スクリューの軸部５１の外径より大きな内径を有する雌ネジ部が形成される貫通孔であるスクリュー孔と、前記プレート本体に形成される、前記プレート本体を長手方向に垂直な平面で切断した断面積が、前記プレート本体を前記スクリュー孔の中心を通る前記プレート本体の長手方向に垂直な平面で切断した断面積よりも小さくなるように形成される絞り部とを設ける。【選択図】図３
2007313046.tif 000002
【特許請求の範囲】
【請求項１】
細長い板状体から形成されるプレート本体と、
前記プレート本体に形成される、所定の骨接合術用スクリューを通し、かつ、この骨接合術用スクリューの軸部の外径より大きな内径を有する雌ネジ部が少なくとも一部に形成される貫通孔であるスクリュー孔と、
前記プレート本体に形成される、前記プレート本体を長手方向に垂直な平面で切断した断面積が、前記プレート本体を前記スクリュー孔の中心を通る前記プレート本体の長手方向に垂直な平面で切断した断面積よりも小さくなるように形成される絞り部と
を有する骨接合プレート。
【請求項２】
骨に係合する軸部と、軸部より基端側において軸部の外径よりも外径が大きい雄ネジ部とを有する骨接合術用スクリュー。
【請求項３】
請求項１に記載の骨接合プレートと、
１以上の請求項２に骨接合術用スクリューと
を含む骨接合セット。
【請求項４】
請求項１に記載の骨接合プレートと、
ヘッド部に進行方向に略垂直な貫通孔である糸通し孔が設けられる１以上の骨接合術用スクリューと、
この糸通し孔を通ることができる太さを有する１以上の糸と
を含む骨接合セット。
【発明の詳細な説明】
【技術分野】
【０００１】
本発明は骨折した骨同士を接合して固定するための骨接合プレート及び骨接合セットに関する。
【背景技術】
【０００２】
骨折をした場合に、骨折した骨同士を突き合わせて固定するために骨に直接、骨接合プレートを沿え、骨接合術用のスクリューにて固定する施術が行われることがある。骨接合プレートは一般的に細長い板状体に、スクリューを通すために貫通孔が複数設けられている。
【発明の開示】
【発明が解決しようとする課題】
【０００３】
ところで、骨接合プレートは一般に平らであるので、複雑な形状を有する実際の骨に沿えようとすると浮いてしまうことがある。また、骨に沿わせるために骨接合プレートを曲げると、一番弱い貫通孔部分で曲がってしまいスクリューが貫通孔を通らないという問題が生じる。また、貫通孔に雌ネジを切り、スクリュー頭部にこの雌ネジに係合する雄ネジを切ることで貫通孔にスクリューを固定することが考えられるが、前述したように貫通孔部分が曲がってしまうと、ネジ同士を係合させることができない。従って、従来のスクリューは骨接合プレートを押さえつけることのみで固定することとなり安定が悪かった。
本発明は、このような問題に鑑み、骨接合プレートを曲げても貫通孔がつぶれることを抑制し、また、骨接合プレートとスクリューとの接合をより強固にすることを課題とする。
【課題を解決するための手段】
【０００４】
上記課題を解決するために、本発明は次のような構成を有する。
請求項１に記載の発明は、細長い板状体から形成されるプレート本体と、前記プレート本体に形成される、所定の骨接合術用スクリューを通し、少なくとも一部にこの骨接合術用スクリューの軸部の外径より大きな内径を有する雌ネジ部が形成される貫通孔であるスクリュー孔と、前記プレート本体に形成される、前記プレート本体を長手方向に垂直な平面で切断した断面積が、前記プレート本体を前記スクリュー孔の中心を通る前記プレート本体の長手方向に垂直な平面で切断した断面積よりも小さくなるように形成される絞り部とを有する骨接合プレートである。
請求項２に記載の発明は、骨に係合する軸部と、軸部より基端側において軸部の外径よりも外径が大きい雄ネジ部とを有する骨接合術用スクリューである。
請求項３に記載の発明は、請求項１に記載の骨接合プレートと、１以上の請求項２に骨接合術用スクリューと含む骨接合セットである。
請求項４に記載の発明は、前記骨接合プレートと、ヘッド部に進行方向に略垂直な貫通孔である糸通し孔が設けられる１以上の骨接合術用スクリューと当該糸通し孔を通ることができる太さを有する１以上の糸と含む骨接合セットである。
【発明の効果】
【０００５】
請求項１に記載の発明は、プレート本体の長手方向に垂直な平面で切った場合に、スクリュー孔部分の断面積よりも小さな断面積となる絞り部分を設けることにより、プレートを曲げると、まず、絞り部が曲がることとなり、これによりスクリュー孔がつぶれることを防ぐことができる。そして、スクリュー孔に形成された雌ネジ部もつぶれないので、スクリュー孔に当該雌ネジ部に係合する雄ネジ部を形成した骨接合術用スクリューを係合固定することができる。
請求項２に記載の発明は、請求項１に記載の構造を有する骨接合プレートに対して雄ネジ部によりスクリュー孔の雌ネジ部に係合できるので、骨接合プレートに安定して固定することができる。
請求項３に記載の発明は、やはり、骨接合プレートと骨接合術用スクリューとはネジにより係合し強固な固定を実現することができる。
請求項４に記載の発明は、スクリューのヘッド部に糸通し孔が形成されるので、骨接合プレートを骨接合術用スクリューで固定した後に、さらに、糸を糸通し孔に通して骨に巻きつけるようにすることで骨接合プレートと骨接合術用スクリュー及び骨とを強固に固定することができる。
【発明を実施するための最良の形態】
【０００６】
以下、本発明の実施の形態について、図面を参照しながら説明する。
図１に本実施形態に係る骨接合プレートＸの正面図を示し、図２（ａ）に図１のＡ−Ａ断面図を、図２（ｂ）に図１のＢ−Ｂ断面図を示す。図に示すように骨接合プレートＸは細長い板状体からなる金属から形成される本体１０を有し、本体１０に表面から裏面を貫通する貫通孔であるスクリュー孔２０が５つ、ほぼ等間隔に形成されている。スクリュー孔２０は、図２（ａ）の断面図に示すように、下側に雌ネジが切られた雌ネジ部２２が形成されているとともに、この上方に想定される骨接合術用スクリューの頭部下半分が係合するような曲面２１が形成されている。また、雌ネジ部２２は想定される骨接合術用スクリューの骨に係合するスクリュー本体となる軸部の外径よりも大きな内径を有するものである。さらに、本体１０には、各スクリュー孔２０同士のほぼ中間位置に絞り部３０が形成されている。絞り部３０は、本体１０の両縁をほぼ半円状に切り欠くことにより形成されるものである。そして、図２（ａ）に示されるスクリュー孔２０の中心を通る本体の長手方向に垂直な平面で切った断面であるＡ−Ａ断面の断面積と、図２（ｂ）に示される絞り部３０の中心を通る本体の長手方向に垂直な平面で切った断面であるＢ−Ｂ断面の断面積を比較すると、Ｂ−Ｂ断面の方が小さくなるように形成されている。これにより、本体１０を曲げると、最も弱い絞り部３０の位置が曲がることとなり、本体１０を曲げた際にスクリュー孔２０部分で曲がって、スクリュー孔２０が潰れることが抑制できる。
【０００７】
図３に本実施形態に係る骨接合術用スクリューＹを示す。骨接合術用スクリューＹは、ほぼ従来の骨接合術用スクリューと同じ形態であり、骨に係合するスクリューが形成される軸部５１と、上面に十字孔の着いたヘッド部５２を有する。そして、ヘッド部５２の下部に軸部５１の外径よりも大きな外径を有する、前記骨接合プレートＸのスクリュー孔２０に形成される雌ネジ部２２に係合する雄ネジが切られた雄ネジ部５３が形成されている。
【０００８】
上記のような構成を有する骨接合プレートＸと骨接合術用スクリューＹの使用状態を図４に示す。図４は、骨Ｂに骨接合プレートＸを沿えて、骨接合術用スクリューＹにて固定した状態を示す一部破断拡大断面図である。なお、骨接合術用スクリューＹは断面では表されていない。図に示すように、骨接合プレートＹは絞り部３０において屈曲し、スクリュー孔２０部分はほとんど歪まないので骨接合術用スクリューＹを容易に通すことができる。そして、骨接合術用スクリューＹは軸部５１により骨Ｂに係合するとともに、雄ネジ部５２が骨接合プレートＹの雌ネジ部２２に対して係合することで、骨Ｂと骨接合プレートＸと骨接合術用スクリューＹとがしっかりと固定されることとなる。
【０００９】
ところで、骨接合プレートＸは、スクリュー孔２０の雌ネジ部２２の内径が想定される骨接合術用スクリューの軸部の外径よりも大きいために、骨接合術用スクリューＹ以外の従来の骨接合術用スクリューに対しても使用が可能である。図５に骨接合プレートＸと従来の骨接合術用スクリューＺの使用状態を示す一部破断拡大断面図を示す。図に示すように従来の骨接合術用スクリューＺの軸部６１は、スクリュー孔２０の雌ネジ部２２に邪魔されることなく、骨接合プレートＸは従来の骨接合術用スクリューＺに対しても従来どおり使用できることがわかる。
【００１０】
さらに、骨接合術用スクリューとして、図６に示すヘッド部７２に糸通し孔７３として軸部にほぼ垂直方向に向う貫通孔を有する骨接合術用スクリューＷを使用することも考えられる。図７に骨接合プレートＸと骨接合術用スクリューＷの使用状態を示す一部破断拡大断面図を示す。骨接合術用スクリューＷを使用する場合は、骨Ｂに骨接合プレートＸを沿えて骨接合術用スクリューＷにより固定した後、さらに、骨接合術用スクリューＷの糸通し孔７４に糸８０を通し、骨Ｂを巻いて糸８０の両端を縛ることで糸８０は骨接合プレートＸと骨Ｂとをさらに固定することとなり、骨Ｂと骨接合プレートＸと骨接合術用スクリューWとをより強固に固定することができる。なお、図において糸８０は断面で表されていない。
【００１１】
なお、上記実施形態に示す骨接合プレートＸの絞り部の形状は一例であり、絞り部における本体長手方向に垂直な平面で切った断面積が、スクリュー孔を本体長手方向に垂直な平面で切った断面積よりも小さくなる部分が生じるような形状であれば種々のものが採用できる。さらに、骨接合プレートのスクリュー孔および絞り部の数及び位置は適宜変更することができる。また、骨接合術用スクリューＷのヘッド部の下部に骨接合術用スクリューＹのように雌ネジ部を形成してもよい。
【図面の簡単な説明】
【００１２】
【図１】実施の形態に係る骨接合プレートの正面図である。
【図２】（ａ）は図１のＡ−Ａ断面図であり、（ｂ）は図１のＢ−Ｂ断面図である。
【図３】雄ネジ部を有する骨接合術用スクリューの正面図である。
【図４】骨接合プレートと雄ネジ部を有する骨接合術用スクリューＹの使用状態を示す一部破断拡大断面図である。
【図５】骨接合プレートと従来の骨接合術用スクリューＹの使用状態を示す一部破断拡大断面図である。
【図６】糸通し孔を有する骨接合術用スクリューの正面図である。
【図７】骨接合プレートと糸通し孔を有する骨接合術用スクリューＹの使用状態を示す一部破断拡大断面図である。
【符号の説明】
【００１３】
Ｘ      骨接合プレート
Ｙ、Ｚ、Ｗ  骨接合術用スクリュー
１０    本体
２０    スクリュー孔
２２    雌ネジ部
３０    絞り部
５１    軸部
５２、７２  ヘッド部
７３    糸通し孔
８０    糸
【図１】
2007313046.tif 000003
【図２】
2007313046.tif 000004
【図３】
2007313046.tif 000005
【図４】
2007313046.tif 000006
【図５】
2007313046.tif 000007
【図６】
2007313046.tif 000008
【図７】
2007313046.tif 000009